(57)【要約】【課題】視覚的演出効果を高めることができるとともに、遊技領域における遊技球の通過を許容させつつ視覚効果を向上させることができるパチンコ遊技機を提供する。【解決手段】遊技機本体に組み付けられる遊技盤４と、該遊技盤４の表面４ａに形成されて弾発された遊技球が種々軌跡で通過し得る遊技領域とを具備したパチンコ遊技機１において、遊技領域の所定部位に形成された凹部Ｆａ〜Ｆｃにそれぞれ配設され、遊技内容に応じて回転しつつ光を照射する回転ランプ１３ａ〜１３ｃと、凹部Ｆａ〜Ｆｃをそれぞれ塞いで回転ランプ１３ａ〜１３ｃを覆うとともに当該回転ランプ１３ａ〜１３ｃを拡大しつつ視認させ得るシート状のレンズ体１４ａ〜１４ｃとを備えたものである。【選択図】図２
2008000511.tif 000002
【特許請求の範囲】
【請求項１】
遊技機本体に組み付けられる遊技盤と、
該遊技盤の表面に形成されて弾発された遊技球が種々軌跡で通過し得る遊技領域と、
を具備したパチンコ遊技機において、
前記遊技領域の所定部位に形成された凹部に配設され、遊技内容に応じて回転しつつ光を照射する回転ランプと、
前記凹部を塞いで前記回転ランプを覆うとともに当該回転ランプを拡大しつつ視認させ得るシート状のレンズ体と、
を備えたことを特徴とするパチンコ遊技機。
【請求項２】
前記凹部は、遊技領域の所定部位に並列して複数形成され、それぞれに回転ランプが配設されるとともに、各回転ランプを覆うレンズ体が互いに異なる色とされたことを特徴とする請求項１記載のパチンコ遊技機。
【請求項３】
遊技内容に応じて前記複数の回転ランプを所定のタイミングで順次回転させつつ光を照射させることを特徴とする請求項２記載のパチンコ遊技機。
【請求項４】
前記複数の回転ランプのうち、所定のものが回転しつつ光を照射すると遊技者に有利な大当たり状態が発生するよう設定されたことを特徴とする請求項２又は請求項３記載のパチンコ遊技機。
【発明の詳細な説明】
【技術分野】
【０００１】
本発明は、遊技盤の表面に形成された遊技領域を弾発された遊技球が種々軌跡で通過し得るパチンコ遊技機に関するものである。
【背景技術】
【０００２】
通常、パチンコ遊技機は、外枠及び前枠等から成る遊技機本体を具備しており、この遊技機本体には、遊技球を弾発し得る操作ハンドルやガラス板を介して視認し得る遊技盤等が形成されている。かかる遊技盤の表面（遊技者側に臨んだ面）には、操作ハンドルにて弾発された遊技球が種々軌跡で通過し得る遊技領域が形成されており、遊技球が当該遊技領域に形成された入賞口に入賞し得るようになっている。
【０００３】
例えば第１種とよばれるパチンコ遊技機においては、３つの図柄を変動表示又は停止表示させ得る図柄表示手段や該図柄表示手段で表示させる図柄を変動表示開始するための始動口などが遊技盤に形成されており、図柄表示手段で変動表示された３つの図柄が揃って停止表示したときに大当たり状態が発生し、賞球として多数の遊技球が獲得され得るようになっている。
【０００４】
そして、大当たり状態やその前段階（結果的にはずれとなる場合も含む）のリーチ状態になると、遊技機本体の上部や側部或いは役物等に配設された装飾用ランプやＬＥＤが点灯又は点滅し、視覚的な演出が行われるようになっている。特に、ランプ類が取り付けられたパチンコ遊技機として、従来、特許文献１にて開示されている如きものが挙げられる。
【特許文献１】特開平１１−２８２７１号公報
【発明の開示】
【発明が解決しようとする課題】
【０００５】
しかしながら、上記従来のパチンコ遊技機においては、取り付けられるランプが単に発光するものであるため、視覚的演出効果を高めるには限界があった。また、遊技球の通過を許容する必要がある遊技盤の遊技領域には、大型のランプやＬＥＤ等を配設するのが困難であり、視覚効果の乏しい極めて小さなランプやＬＥＤ等を使用せざるを得ないという問題があった。
【０００６】
本発明は、このような事情に鑑みてなされたもので、視覚的演出効果を高めることができるとともに、遊技領域における遊技球の通過を許容させつつ視覚効果を向上させることができるパチンコ遊技機を提供することにある。
【課題を解決するための手段】
【０００７】
請求項１記載の発明は、遊技機本体に組み付けられる遊技盤と、該遊技盤の表面に形成されて弾発された遊技球が種々軌跡で通過し得る遊技領域とを具備したパチンコ遊技機において、前記遊技領域の所定部位に形成された凹部に配設され、遊技内容に応じて回転しつつ光を照射する回転ランプと、前記凹部を塞いで前記回転ランプを覆うとともに当該回転ランプを拡大しつつ視認させ得るシート状のレンズ体とを備えたことを特徴とする。
【０００８】
請求項２記載の発明は、請求項１記載のパチンコ遊技機において、前記凹部は、遊技領域の所定部位に並列して複数形成され、それぞれに回転ランプが配設されるとともに、各回転ランプを覆うレンズ体が互いに異なる色とされたことを特徴とする。
【０００９】
請求項３記載の発明は、請求項２記載のパチンコ遊技機において、遊技内容に応じて前記複数の回転ランプを所定のタイミングで順次回転させつつ光を照射させることを特徴とする。
【００１０】
請求項４記載の発明は、請求項２又は請求項３記載のパチンコ遊技機において、前記複数の回転ランプのうち、所定のものが回転しつつ光を照射すると遊技者に有利な大当たり状態が発生するよう設定されたことを特徴とする。
【発明の効果】
【００１１】
請求項１の発明によれば、遊技内容に応じて回転しつつ光を照射する回転ランプを具備しているので、視覚的演出効果を高めることができるとともに、シート状のレンズ体により、回転ランプを覆うとともに当該回転ランプを拡大しつつ視認させて遊技領域に臨ませることができるので、遊技領域における遊技球の通過を許容させつつ視覚効果を向上させることができる。
【００１２】
請求項２の発明によれば、凹部が遊技領域の所定部位に並列して複数形成され、それぞれに回転ランプが配設されるとともに、各回転ランプを覆うレンズ体が互いに異なる色とされているので、遊技内容に基づいて切迫感をイメージさせる色で点灯させることができ、視覚演出効果を更に向上させることができる。
【００１３】
請求項３の発明によれば、遊技内容に応じて複数の回転ランプを所定のタイミングで順次回転させつつ光を照射させるので、回転ランプの点灯に基づいて切迫感を段階的に変化させ、遊技者が今後の遊技内容の展開を予測させることにより、視覚効果も含めて演出効果全体を向上させることができる。
【００１４】
請求項４の発明によれば、複数の回転ランプのうち、所定のものが回転しつつ光を照射すると遊技者に有利な大当たり状態が発生するよう設定されているので、演出効果を更に向上させることができる。
【発明を実施するための最良の形態】
【００１５】
以下、本発明の実施形態について図面を参照しながら具体的に説明する。
本実施形態に係るパチンコ遊技機は、図１に示すように、ガラス板２が取り付けられた前面枠３を有しており、かかるガラス板２を介して遊技者が遊技盤４を目視し得るように構成されている。尚、当該前枠３は、外枠（不図示）に開閉自在に支持されて、本発明の遊技機本体を構成する。遊技機本体には遊技盤４が取り付けられており、この遊技盤４は、その表面に複数の釘や風車等が形成された遊技領域を有するとともに、当該遊技領域において弾発された遊技球が種々軌跡で通過（落下）し得るよう構成されている。
【００１６】
遊技盤４における遊技領域の略中央には、センター役物５が形成されており、このセンター役物５には、図柄表示手段６の表示面を外部に臨ませる開口５ａが形成されている。かかる図柄表示手段６は、その表示面（画面）に複数の図柄を変動表示又は停止表示させ得るものであり、例えば液晶画面などから成る。また、遊技盤４には、図柄表示手段６の変動表示を開始させる始動口７や大入賞口８などが形成されている。
【００１７】
そして、始動口７に遊技球が入賞すると、図柄表示手段６における画面にて複数の図柄を変動表示開始させ、例えば同一の図柄が揃って停止表示されれば、「大当たり状態」が発生し、大入賞口８を所定時間及びタイミングで開閉させて、遊技者が多数の遊技球を獲得することができるよう構成されている。また、一の図柄が変動表示しつつそれ以外の図柄が揃って停止表示された所謂リーチ状態が発生するよう設定されており、当該一の図柄が停止表示した際に全ての図柄が揃って大当たり状態となるか或いは揃わずはずれとなるよう構成されている。
【００１８】
更に、パチンコ遊技機１の下部右隅には操作ハンドル９が配設されており、遊技者が該ハンドル９を回動操作することにより上皿１０内の遊技球を遊技盤４の遊技領域へ弾発し得るよう構成されている。尚、同図中符号１１は前枠３に形成された下皿を示しているとともに、符号１２は遊技者が遊技内容に基づいて任意のタイミングで押圧操作可能な押しボタンを示している。
【００１９】
ここで、本実施形態に係る遊技盤４には、下段、中段及び上段の３つの回転ランプ１３ａ〜１３ｃが並列して配設されており、それぞれが遊技内容に応じて回転しつつ光を照射することにより視覚的演出を図り得るようになっている。即ち、センター役物５の側面には、図２に示すように、当該センター役物５の外周縁部に沿って円弧状のフレームＦが一体的に固定されており、該フレームＦの下部、中央部及び上部に設けられた凹部Ｆａ〜Ｆｃ内に回転ランプ１３ａ〜１３ｃがそれぞれ配設されている。
【００２０】
凹部Ｆａ〜Ｆｃは、図３及び図４に示すように、遊技盤４の表面側に開口して形成されているとともに、当該開口を塞ぐ如くフレームＦにシート状のレンズ体１４ａ〜１４ｃが形成されている。フレームＦの表面とシート状のレンズ体１４の表面とは略面一とされており、図３に示すように、遊技盤４にセンター役物５を組み付けると、フレームＦ及びレンズ体１４の表面が遊技盤４の表面４ａ（遊技領域）とほぼ段差がない状態になるよう構成されている。これにより、遊技領域に弾発された遊技球が、フレームＦ及びレンズ体１４上を通過し得るようになっている。
【００２１】
レンズ体１４は、フレームＦにおける凹部Ｆａ〜Ｆｃの開口を塞いで回転ランプ１３ａ〜１３ｃを覆うとともに当該回転ランプ１３ａ〜１３ｃを拡大しつつ視認させ得るシート状の樹脂材料から成る。即ち、レンズ体１４は、光を透過させつつその光の屈折率が所望に調整されており、遊技者が外部から回転ランプ１３ａ〜１３ｃを見ると、拡大して視認し得るよう構成されているのである。
【００２２】
更に、各レンズ体１４ａ〜１４ｃは、互いの色が異なるよう着色されており、回転ランプ１３ａ〜１３ｃの光が着色された色にて外部に照射されて視認され得るようになっている。本実施形態においては、下段のレンズ体１４ａが黄色、中段のレンズ体１４ｂが橙色、及び上段のレンズ体１４ｃが赤色にそれぞれ着色されており、各回転ランプ１３ａ〜１３ｃが発光しながら回転すると、それぞれの色で点灯するよう構成されている。
【００２３】
ここで、回転ランプ１３ａ〜１３ｃは、図５に示すように、発光体１７及び反射板１８から成る発光部と、反射板１８を支持する支持部１９と、図示しないサブ基板と配線Ｈを介して電気的に接続された基板１６と、該基板１６により駆動制御される駆動機構１５（図４参照）とを有している。このうち駆動機構１５は、通電により駆動するモータＭと、該モータＭの出力軸Ｍａと共に回転可能とされたギアＧａと、該ギアＧａと噛み合って支持部１９と共に回転可能とされたギアＧｂとを有している。
【００２４】
そして、基板１６からの制御信号に基づきモータＭを駆動させると、その駆動力がギアＧａ、Ｇｂを介して支持部１９に伝達され、反射板１８を回転させる。このとき、発光体１７は発光しており、そこから照射される光が反射板１８の反射面１８ａで反射されることとなるため、当該反射光が支持部１９の回転に伴って周方向に順次照射されることとなる。尚、発光体１７は、ＬＥＤ（発光ダイオード）や他の汎用的な発光手段を用いることができる。即ち、本発明で言う回転ランプは、遊技内容に応じて回転しつつ光を照射することができれば足り、その発光体がＬＥＤ等何れの発光手段であってもよいのである。
【００２５】
しかして、上記の如き回転ランプ１３によれば、緊急時や警報時等に点灯する所謂パトランプと称されるものの如く発光するので、遊技内容に基づいて点灯させれば、遊技者に対してより切迫感をイメージさせる色で点灯させることができ、視覚演出効果を向上させることができる。即ち、下段の回転ランプ１３ａが黄色に点灯したときよりも中段の回転ランプ１３ｂが橙色に点灯したときの方がより切迫感を与え、更には、当該中段の回転ランプ１３ｂが橙色に点灯したときよりも上段の回転ランプ１３ｃが赤色に点灯したときの方がより切迫感を与え得るよう構成されているのである。
【００２６】
また、本実施形態においては、回転ランプ１３ａ〜１３ｃが遊技内容に応じて所定のタイミングで順次回転しつつ光を照射するよう構成されており、例えば大当たり状態の発生が近づくにつれ、黄色、橙色及び赤色と順次点灯し得るようになっている。これにより、回転ランプ１３ａ〜１３ｃの点灯に基づいて切迫感を段階的に変化させ、遊技者が今後の遊技内容の展開を予測させることにより、視覚効果も含めて演出効果全体を向上させることができる。
【００２７】
更に、パチンコ遊技機１には、図示しないスピーカが配設されており、遊技内容に基づいて所定の効果音或いは音楽等が発せられるようになっている。本実施形態においては、当該効果音等と連動して段階的に回転ランプ１３ａ〜１３ｃが順次点灯するよう構成されており、切迫感を除々に上げて聴覚的演出効果と視覚的演出効果とを併せて奏するようになっている。
【００２８】
また更に、本実施形態においては、上段、中段及び上段の３つの回転ランプ１３ａ〜１３ｃのうち、上段の回転ランプ１３ｃ（赤色に点灯するするもの）が回転しつつ光を照射すると遊技者に有利な大当たり状態が発生するよう設定されている。従って、黄色の回転ランプ１３ａが点灯した後、橙色の回転ランプ１３ｂが点灯すると、次に赤色の回転ランプ１３ｃが点灯して大当たり状態となることを予測させることができ、演出効果を更に向上させることができる。
【００２９】
上記実施形態によれば、遊技内容に応じて回転しつつ光を照射する回転ランプ１３ａ〜１３ｂを具備しているので、遊技者に切迫感を与えて視覚的演出効果を高めることができるとともに、シート状のレンズ体１４ａ〜１４ｃにより、回転ランプ１３ａ〜１３ｂをそれぞれ覆うとともに各回転ランプ１３ａ〜１３ｂを拡大しつつ視認させて遊技領域に臨ませることができるので、遊技領域における遊技球の通過を許容させつつ視覚効果を向上させることができる。
【００３０】
更に、本実施形態によれば、回転ランプ１３ａ〜１３ｃがフレームＦを介してセンター役物５に固定されているので、当該センター役物５を遊技盤４に組み付ければ、回転ランプ１３ａ〜１３ｃも組み付けられることとなり、組み付け作業性を向上させることができる。勿論、センター役物５を遊技盤４に組み付けた際、フレームＦ及びレンズ体１４ａ〜１４ｃの表面が遊技領域表面とあまり段差が生じないよう設定されている。
【００３１】
然るに、遊技領域に回転ランプを配設する場合、当該回転ランプが大きく遊技領域側に大きく突出させてしまうと、遊技球の通過が許容されなくなる一方、背面側に大きく突出させてしまうと、パチンコ遊技機１の設置に支障を来す虞がある。また、遊技領域側及びパチンコ遊技機１の背面側への突出寸法を小さくすべく小さな回転ランプを用いた場合、視覚的演出効果が劣ってしまう。本実施形態によれば、レンズ体１４ａ〜１４ｃにて回転ランプ１３ａ〜１３ｃを拡大しつつ視認させ得るので、小さな回転ランプやＬＥＤ等を用いても視覚的演出効果を向上させることができる。
【００３２】
以上、本実施形態について説明したが、本発明はこれに限定されるものではなく、例えば遊技内容に応じて点灯し得る回転ランプを１個のみ設けるようにしてもよく、或いは２個又は４個以上並列して設けるようにしてもよい。各レンズ体１４ａ〜１４ｂの色は、本実施形態のものに限定されず、例えば全て同じ色（透明も含む）としてもよい。更に、本実施形態においては、フレームＦを具備し、そのフレームＦに形成された凹部Ｆａ〜Ｆｃに回転ランプ１３ａ〜１３ｃを配設しているが、遊技盤４における遊技領域の表面に直接凹部を形成し、その凹部に回転ランプを配設させるようにしてもよい。
【産業上の利用可能性】
【００３３】
遊技領域の所定部位に形成された凹部に配設され、遊技内容に応じて回転しつつ光を照射する回転ランプと、当該凹部を塞いで回転ランプを覆うとともに当該回転ランプを拡大しつつ視認させ得るシート状のレンズ体を具備したパチンコ遊技機であれば、外観形状が異なるもの或いは他の形態（第２或いは第３種と称されるもの）のパチンコ遊技機にも適用することができる。
【図面の簡単な説明】
【００３４】
【図１】本発明の実施形態に係るパチンコ遊技機を示す全体模式図
【図２】同パチンコ遊技機におけるセンター役物及び回転ランプを示す正面図
【図３】図２におけるＩＩＩ−ＩＩＩ線断面図
【図４】図２におけるＩＶ−ＩＶ線断面図
【図５】同パチンコ遊技機における回転ランプの構造を示す斜視図
【符号の説明】
【００３５】
１    パチンコ遊技機
２    ガラス板
３    前枠
４    遊技盤
５    センター役物
６    図柄表示手段
７    始動口
８    大入賞口
９    操作ハンドル
１０  上皿
１１  下皿
１２  押しボタン
１３（１３ａ〜１３ｃ）  回転ランプ
１４ａ〜１４ｃ  レンズ体
１５  駆動機構
１６  基板
１７  発光体
１８  反射板
１９  支持部
Ｆ    フレーム
Ｆａ〜Ｆｃ  凹部
【図１】
2008000511.tif 000003
【図２】
2008000511.tif 000004
【図３】
2008000511.tif 000005
【図４】
2008000511.tif 000006
【図５】
2008000511.tif 000007